(57)【要約】【課題】金属板等の板状部材に吹き付けられた圧縮気体によって生じ，板状部材の走行方向上流側に流出した油分を含むミストを効率よく除去することで，上記ミストの濃度がノズル体の上流側で高まることを防止し，ノズル体による圧縮気体の噴射で除去した油分が再度板状体の表面に付着することを防止しうる付着物除去装置を提供すること。【解決手段】走行する板状部材の表面に対向する対向面に一以上の噴射口が形成されたノズル体を備え，上記ノズル体の上記噴射口から圧縮気体を噴射させることにより上記板状部材に付着した圧延油，洗浄油などの付着物を除去する付着物除去装置であって，ノズル体の上記対向面であって上記板状部材の走行方向上流部に，上記ノズル体に隣接して，上記板状体から遠ざかる方向へ陥没する陥没室が形成されてなることを特徴とする付着物除去装置。【選択図】図２
2008043834.tif 000002
【特許請求の範囲】
【請求項１】
走行する板状部材の表面に対向する対向面に一以上の噴射口が形成されたノズル体を備え，上記ノズル体の上記噴射口から圧縮気体を噴射させることにより上記板状部材に付着した圧延油，洗浄油などの付着物を除去する付着物除去装置であって，
ノズル体の上記対向面に，上記ノズル体に隣接して，上記板状体から遠ざかる方向へ陥没する陥没室が形成されてなることを特徴とする付着物除去装置。
【請求項２】
上記陥没室が，上記ノズル体から噴射された圧縮気体によって上記板状部材表面から吹き上げられた上記圧延油，洗浄油などのミストが流入しうる空間である請求項１に記載の付着物除去装置。
【請求項３】
上記ノズル体が，上記板状部材の表面に略垂直な方向へ移動自在に支持されてなると共に，上記噴射口から噴射され上記板状部材の間の隙間を通って流れる空気の流れに基づいて発生する負圧である吸着圧を用いて，上記ノズル体を上記板状部材から浮上して支持してなるものである請求項１或いは２のいずれかに記載の付着物除去装置。
【請求項４】
上記ノズル体が，上記板状部材を走行させる機械の機台に対して位置固定されてなる請求項１或いは２のいずれかに記載の付着物除去装置。
【請求項５】
上記陥没室が，上記板状部材の走行方向に複数形成されてなる請求項１〜４のいずれかに記載の付着物除去装置。
【請求項６】
上記陥没室の板状部材走行方向下流側の壁面が，板状部材端部側に向かうにつれて，板状部材走行方向下流側に向けて傾斜して形成されてなる請求項１〜５のいずれかに記載の付着物除去装置。
【請求項７】
上記１以上の陥没室に吸気源に接続された排気手段が接続されてなる請求項１〜６のいずれかに記載の付着物除去装置。
【請求項８】
上記噴射口が，上記板状部材の搬送方向及び上記ノズル体の移動方向と略直交する方向に直列或いは並列に配列されてなる請求項１〜７のいずれかに記載の付着物除去装置。
【請求項９】
上記対向面に，上記板状部材の搬送方向及び上記ノズル体の移動方向と略直交する方向に長い開口部を有する平面ノズルが設けられてなる請求項１〜８のいずれかに記載の付着物除去装置。
【請求項１０】
上記ノズル体が，上記板状部材の上面側及び下面側のいずれか一方又は両方に設けられてなる請求項１〜９のいずれかに記載の付着物除去装置。
【請求項１１】
上記対向面に，上記噴射口から噴射された圧縮気体を溜めるための陥没状の気体溜まりが設けられ，
上記ノズル体に，上記気体溜まり内の気体を上記ノズル体の外部へ導く連通孔が形成されてなる請求項１〜１０のいずれかに記載の付着物除去装置。
【請求項１２】
上記連通孔から上記気体溜まり内の気体を吸引する吸引手段を更に備えてなる請求項１１に記載の付着物除去装置。
【発明の詳細な説明】
【技術分野】
【０００１】
本発明は，板状部材に付着した圧延油等の油成分や板状部材を，上記板状部材に圧縮空気を吹き付けて洗浄する洗浄液等の液体などの付着物を除去する付着物除去装置に関し，特に，上記圧縮空気の吹き付けによって生じる洗浄油などのミストが板状部材表面に再度付着しないようにして，洗浄効果を高めることに成功した付着物除去装置に関するものである。
【背景技術】
【０００２】
一般に，圧延機により金属板や樹脂板等の板状部材を圧延する場合は，ワークロール（圧延ロール）やこのワークロールにより圧延される板状部材の冷却，或いは，圧延効率の向上等のために上記ワークロールと上記板状部材との圧延接触部に圧延油を供給している。また，板状部材の表面の汚れや酸化膜等を洗浄する必要がある場合は，上記板状部材を洗浄剤が収容された洗浄槽に通過させている。
このように圧延後の板状部材には上記圧延油や洗浄剤が付着するため，上記板状部材を巻き取り装置等で巻き取る前に上記圧延油や洗浄剤を除去する必要がある。これは，圧延油等が付着したままで板状部材が巻き取られると，巻き取られた板状部材間の接触面の摩擦係数が小さくなり，板状部材がその幅方向に横滑りして巻き取り装置に衝突したり，板状部材自体が破断する等の問題が生じるおそれがあるからである。また，圧延油の除去が不十分なまま巻き取られた板状部材（圧延コイル）を次工程で焼鈍させると焼鈍むらが発生し，製品の品質を低下させるという問題もある。更にまた，洗浄剤が付着したまま板状部材が保管されると，その洗浄剤によって板状部材が腐食するという問題も生じ得る。
【０００３】
従来，上記圧延油や洗浄剤を除去する手法が多数提案されている。例えば，特許文献１には，走行する圧延後の板状部材の表面に対向する対向面に一以上の噴射口が形成されたノズル体を備え，上記ノズル体の上記噴射口から圧縮気体を噴射させることにより上記板状部材に付着した圧延油，洗浄油などの付着物を除去する付着物除去装置であって，上記ノズル体が上記板状部材の表面に略垂直な方向へ浮動状に支持され，上記ノズル体と上記板状部材表面との間の隙間の分だけ上記ノズル体を上記板状部材から浮上させて支持するようにした付着物除去装置が提案されている。
これにより，板状部材がうねったり振動したとしても，ノズル体と板状部材との間隔が一定に保たれ，圧縮気体の吹き付け力が一定に維持されるので，付着物の除去斑を生じない付着物除去装置が提供される。
また，上記圧縮気体による不純物の除去効果の向上を阻害するのはそのノズルによって板状部材衝突する圧縮気体による衝突速度及びそれによって生じる壁面せん断応力に圧縮気体の流れによって不十分となるためであるとの見地に立って，上記圧縮気体の噴き付け方向を改良すると共に，上記ノズル対向面とノズルの横方向の幅との比を調整した技術資料として，特許文献２が知られている。
【特許文献１】特開２００６−６８７２４号公報
【特許文献２】特開平５−２００３７４号公報
【発明の開示】
【発明が解決しようとする課題】
【０００４】
しかしながら，上記のようにノズルを浮動状に支持する場合であっても，或いは固定状に支持する場合であっても，ノズル体から噴射された圧縮気体によって板状態表面に付着した圧延油や洗浄油は，上記圧縮気体の吹き付けによって吹き上げられ，微細なミストとなってノズル体と板状部材との間の空間から流出し，ノズル体よりも板状部材走行方向上流側或いは下流側に噴出す現象が観測される。
ノズル体から噴出される圧縮気体は，上記ノズル体に形成された上記噴射孔の傾き方向に応じて大部分噴出される。例えば後述の実施形態のように噴出口が板状部材の走行方向上流方向に向けて傾斜して形成されている場合には，圧縮空気及びそれによって吹き上げられたミストは，大部分板状部材走行方向上流方向に向けて噴出される。従って，この場合には上記陥没室を板状部材の走行方向上流側に形成しておくことが望ましい。このように陥没室は，上記噴射口の傾き方向に応じた位置に形成される。但し，全ての圧縮気体が上記噴射口の傾き方向に噴射されるわけではなく，一部はその逆方向にも噴出される場合があり，特に噴射口が，板状部材に直角に近い角度で形成されている場合には，噴射口の傾き方向とは逆側にも多くの圧縮気体が噴射されるので，上記陥没室をノズル体の両側に形成しておくことも意味がある。
特に，噴射口が板状部材の走行方向上流方向に向けて傾斜しているために，多くのミストが上記上流方向に噴出する場合には，上流側に噴出したミストは，幅広のノズル体及びそれを支持する架台にせき止められるので，板状部材の走行に伴ってノズル体の上流部に大量にとどまり，従って，濃い濃度状態となり，やがて板状部材の表面に断続的な濃淡をもった油分の付着をもたらす。このような濃い濃度の油分の付着は，前記したように後続する板状部材の処理時における板状部材間の接触面の摩擦係数を低下させて板状部材の横滑りを生じさせたり，板状部材自体が破断する等の問題，或いは，次工程における焼鈍むらといった製品の品質の低下，更には，その洗浄剤による板状部材の腐食の原因となる。
【０００５】
従って，本発明は上記事情に鑑みてなされたものであり，その目的とするところは，金属板等の板状部材に吹き付けられた圧縮気体による油分を含むミストを効率よく除去することで，上記ミストの濃度がノズル体の上流側で高まることを防止し，もってノズル体による圧縮気体の噴射で除去した油分が再度板状部材の表面に付着することを防止しうる付着物除去装置を提供することにある。
【課題を解決するための手段】
【０００６】
上記目的を達成するために本発明は，走行する板状部材の表面に対向する対向面に一以上の噴射口が形成されたノズル体を備え，上記ノズル体の上記噴射口から圧縮気体を噴射させることにより上記板状部材に付着した圧延油，洗浄油などの付着物を除去する付着物除去装置であって，
ノズル体の上記対向面に，上記ノズル体に隣接して，上記板状体から遠ざかる方向へ陥没する陥没室が形成されてなることを特徴とする付着物除去装置として構成されている。
上記陥没室があるために，ノズル体から噴出される圧縮流体によって吹き上げられた油分を含むミストのうち，板状部材の走行方向上流側又は下流側あるいはその両方に流出したミストが上記陥没室に流入し除去されるので，ミストの密度が高くなって板状部材に汚れを発生させる不都合が回避される。
【０００７】
例えば，上記ノズル体が上記板状部材の上面側に位置する場合は，上記板状部材から略一定間隔を維持した状態のままで上記ノズル体が浮遊することになる。これにより，上記板状部材に発生した振動や板状部材の反り等の変形によって上記板状部材の表面が上下した場合であっても，その上下に追従して上記ノズル体が上下移動するため，上記板状部材の表面から上記ノズル体までの離間距離が常に略一定に維持される。その結果，上記板状部材と上記ノズル体との距離を数ｍｍ以下，具体的には０．１ｍｍ程度に設定することが可能となる。これにより，従来は数ミリ程度の離間距離を設けていたため比較的高圧の圧縮気体を供給しなければ充分な付着物除去効果を得ることができなかったが，本発明によれば上記離間距離を更に狭小とすることにより，従来よりも圧力の低い圧縮気体を用いて従来と同等或いはそれ以上の付着物除去効果を得ることができる。
また，上記板状部材と上記ノズル体との距離を小さくすることにより上記板状部材に噴射される圧縮気体の噴射圧が高まるため，圧延速度が高速化された圧延機により圧延された板状部材，即ち高速搬送された板状部材の付着物を除去することも可能となる。
【０００８】
ここで，上記噴射口それぞれの面積の合計値がノズル体の対向面の面積の略３分の２未満となるように上記噴射口が形成されていることが望ましい。これは，上記離間距離を上記板状部材に付着した圧延油，洗浄油などの付着物を除去するのに適した厚みに設定するために最も好ましい条件であって，本出願の発明者による実験等の結果から見出されたものである。
上記ノズル体の支持機構としては，上記ノズル体が，上記板状部材の表面に略垂直な方向へ移動自在に支持されてなると共に，上記噴射口それぞれの面積の合計値が上記対向面の面積の略３分の２未満となるように上記噴射口が形成されてなり，これにより，上記弾性体による板状部材方向への押圧力及び上記噴射口から噴射され上記板状部材の間の隙間を通って流れる空気の流れに基づいて発生する負圧である吸着圧と，上記噴射口から噴射される圧縮空気の噴射圧によりノズル体を押し上げようとする押上圧とのバランスに見合った上記ノズル体と上記板状部材表面との間の隙間の分だけ上記板状部材から浮上して支持されてなるものがあげられる。
このような重力と圧力のバランスした位置にノズル体が浮動状に支持される事で，ノズル体と板状部材との間の隙間が一定に保たれ，常に一定の付着物除去機能が発揮されることになる。
また上記ノズル体は，上記板状部材を走行させる機械の機台に対して位置固定されてもよい。このような支持機構は構成として簡易であり，コストを低下させる可能性がある。
【０００９】
さらに上記陥没室は，上記板状部材の走行方向に複数形成してもよい。陥没室が沢山あることで，付着物の除去作用が増大或いは安定化する。
上記陥没室の板状部材走行方向下流側の壁面を，板状部材端部側に向かうにつれて，板状部材走行方向下流側に向けて傾斜して形成することで，陥没室に入ったミストの流れが良くなり，付着物の除去作用が増大する。
また上記１以上の陥没室に吸気源に接続された排気手段が接続されてなるように構成すれば，陥没室に流入した付着物のミストが，陥没室内に溜まることなく排出されるので，長時間掃除なしに付着物を効率よく除去することが出来る。
【００１０】
また，上記ノズル体の対向面に形成された噴射口は，例えば，上記板状部材の搬送方向及び上記ノズル体の移動方向と略直交する方向に直列或いは並列に配列されているものが考えられる。
また，上記ノズル体の対向面に，上記板状部材の搬送方向及び上記ノズル体の移動方向と略直交する方向に長い開口部を有する平面ノズルが設けられておれば，上記板状部材の幅方向全域に圧縮気体を均等に放射することが可能となる。
更に，圧縮気体の噴射によって上記ノズル体を上記板状部材から容易に離間させるためにも，上記ノズル体を構成する主要部材は，プラスチック素材等の軽量材質により構成することも可能である。
【００１１】
また，上記板状部材の上面側及び下面側のいずれの表面における付着物をも除去可能とするべく，上記ノズル体は，上記板状部材の上面側及び下面側のいずれか一方又は両方に設けられてなることが好ましい。
【００１２】
ところで，上記板状部材に圧縮気体が噴射されると，この気体は上記板状部材に反射して上記対向面に衝突する。このとき，圧縮気体の噴射により剥がされた付着物が上記対向面に衝突して，該対向面に付着する場合がある。特に，上記付着物が例えば油或いは油を含む塵埃などの粘性を有するものである場合は，該付着物が上記対向面に付着し易い。この場合，上記対向面に付着物が付着することによって上記噴射口が詰まったり，或いは肥大化した付着物が剥がれ落ち，上記板状部材に再付着するという問題が生じ得る。
そこで，上記対向面に，上記噴射口から噴射された圧縮気体を溜めるための陥没状の気体溜まりを設け，上記ノズル体に，上記気体溜まり内の気体を上記ノズル体の外部へ導く連通孔を形成しておけば，オイルなどの付着物を含む空気が上記気体溜まりに滞留し，この滞留した空気を外部へ排出することが可能となる。これにより，噴射口の詰まりや板状部材への付着物の再付着を軽減することができる。
【発明の効果】
【００１３】
このように構成されることにより，ノズル体の板状部材走行方向上流部又は下流部，あるいはその両方に噴出されたオイルミストが上記上流部に溜まって板状部材を汚すといった問題点が解消される。
【発明を実施するための最良の形態】
【００１４】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
なお，本発明における付着物を除去するためのノズル体の支持方法としては，種々のものが採用可能である。例えば，ノズル体が，前記板状部材を走行させる機械の機台に対して位置固定されてなるものであってもよい。
以下，このようなノズル体の支持方法を，固定支持方法と呼ぶ。
また，上記ノズル体が，上記板状部材の表面に略垂直な方向へ移動自在に支持されてなると共に，上記噴射口それぞれの面積の合計値が上記対向面の面積の略３分の２未満となるように上記噴射口が形成されてなり，これにより，上記弾性体による板状部材方向への押圧力及び上記噴射口から噴射され上記板状部材の間の隙間を通って流れる空気の流れに基づいて発生する負圧である吸着圧と，上記噴射口から噴射される圧縮空気の噴射圧によりノズル体を押し上げようとする押上圧とのバランスに見合った上記ノズル体と上記板状部材表面との間の隙間の分だけ上記板状部材から浮上して支持されてなるものであってもよい。以下，このようなノズル体の支持方法を浮動支持方法という。
以下の実施形態では，上記浮動支持方法によってノズル体を支持する場合について説明するが，これは一例であって，本発明はいずれの支持方法でも採用可能である。
【００１５】
ここに，図１は本発明の実施の形態に係る付着物除去装置Ｘの空気制御システムの概略を説明するブロック図，図２は上記付着物除去装置Ｘのノズル体１００を説明する模式図，図３はノズル体１００を上方へ押し上げようとする力Ｆと離間距離ｄとの関係を表す図，図４は離間距離ｄと付着物除去効果との関係を説明する模式図，図５は噴射口１０１の近傍の圧力分布を示す図，図６は本発明の第１の実施例に係る付着物除去装置Ｘ１のノズル体１００ａを説明する模式図，図７は本発明の第２の実施例に係る付着物除去装置Ｘ２のノズル体１００ｂを説明する模式図，図８は本発明の第３の実施例に係る付着物除去装置Ｘ３の概略構成を示すブロック図，図９は本発明の第４の実施例に係る付着物除去装置Ｘ４のノズル体１００ｃを説明する模式図，図１０は本発明の第５の実施例に係る付着物除去装置Ｘ５の概略構成を示すブロック図である。
【００１６】
まず，図１のブロック図を用いて，本発明の実施の形態に係る付着物除去装置Ｘの空気制御システム及び概略構成について説明する。
本付着物除去装置Ｘは，例えば，圧延機等により圧延された金属製或いは非金属製の板状部材に付着した圧延油や洗浄剤等の液体や屑片等の付着物を除去する装置であって，図１に示すように，空気圧源５から供給された圧縮空気（圧縮気体の一例）を上記板状部材Ｔの表面に噴射させて，上記板状部材Ｔの表面に付着した圧延油，洗浄油などを除去するべく上記板状部材に対向した面に一以上の噴射口を備えたノズル体１００と，該ノズル体１００と上記空気圧源５とを配管接続する管路６に介設された電磁弁２と，該電磁弁２の下流側の管路６に介設された減圧弁３と，該減圧弁３の下流側に介設されたエアフィルタ４と，上記電磁弁２を励磁／消磁して圧縮空気の経路（空気路）を切り換える制御を行うコントローラ１とを備えている。なお，本実施の形態では，圧縮気体として圧縮空気を用いた例について説明するが，腐食性の低い窒素ガス等を用いてもかまわない。また，本付着物除去装置Ｘは上記圧延機により圧延された板状部材に限られず，あらゆる板状部材にも適用され得る。
上記コントローラ１は，シーケンサ等の制御ユニット等を備えて構成されており，例えば，外部からスタート信号が入力されたことを検知すると，上記電磁弁２を励磁してこの弁を閉位置から開位置に切り換える。上記電磁弁２を介して供給された圧縮空気は減圧弁３により予め定められた一定圧力に減圧され，ドレン付のエアフィルタ４により水蒸気や塵等が除去された後に，上記ノズル体１００に供給される。
【００１７】
続いて，図２の模式図を用いて，上記ノズル体１００について説明する。上記ノズル体１００は，図２に示すように，板状部材Ｔの上面側に配設されている。このノズル体１００はプラスチック素材等の軽量部材で成形されており，上記板状部材Ｔの幅方向に長い略長方体形状をしている。ここに，図２（ａ）は上記ノズル体１００の長手方向（図２の左右方向）の鉛直断面を示す断面模式図であり，（ｂ）は（ａ）の矢印Ａからみた上記ノズル体１００の模式図である。図中において符号を付していない矢印は圧縮空気の流れを示す。
上記ノズル体１００の上記板状部材Ｔの上面（上方側表面）Ｔ１に対向する対向面１０２には板状部材Ｔの走行方向に向けて傾斜した４つの噴射口１０１が形成されている。この４つの噴射口１０１は，上記板状部材Ｔの搬送方向Ｗ２（図２（ｂ）参照）及び上記ノズル体１００の移動方向Ｗ１（図２（ａ）参照）と略直交する方向Ｗ３（図２（ｂ）参照）に直列に配列されている。なお，上記噴射口１０１は４つに限らず，少なくとも１以上の噴射口１０１が形成されていればよい。上記噴射口１０１の傾斜によって，この噴射口から噴射された圧縮空気の大部分は，上記板状部材Ｔの走行方向上流部に向けて噴射される。
【００１８】
上記対向面１０２には，上記噴射口１０１から噴射された圧縮空気を上記板状部材Ｔの搬送方向Ｗ２の上流側へ導き，剥離された付着物を上記搬送方向Ｗ２の上流側へ吹き飛ばすために，上記板状部材Ｔの搬送方向Ｗ２に平行する複数の溝１０６（本実施の形態では５つの溝）が所定間隔を隔てて形成されている。この溝１０６の上記板状部材Ｔの搬送方向Ｗ２上流側の一端１０６ａは末広がり状に形成されており，上記搬送方向Ｗ２側の側面に開放されている。
なお，上記搬送方向Ｗ２に平行に形成された上記溝１０６では，剥離された付着物が再び上記板状部材Ｔ上に付着する可能性がある。そのため，上記溝１０６とは異なり，図２（ｃ）に示すように，上記搬送方向Ｗ２に対して上記板状部材Ｔの幅方向外側へ傾斜角がつけられた溝１０６−１を上記対向面１０２に形成することが好ましい。このような溝１０６−１が形成されておれば，該溝１０６−１を流れる圧縮空気と共に剥離された付着物が上記板状部材Ｔの幅方向外側へ吹き飛ばされるため，付着物の除去効率が向上され得る。
【００１９】
上記ノズル体１００の上記対向面１０２とは逆の面１０３には，前記空気圧源５（図１）から供給され前記減圧弁４により所定圧に減圧された圧縮空気を上記ノズル体１００に供給するための一の供給口１０４が形成されている。この供給口１０４は，上記各噴射口１０１を内部で連通する連通路１０５に貫通されている。したがって，この供給口１０４に圧縮空気が供給されると，上記連通路１０５を通って上記各噴射口１０１から上記板状部材Ｔの上面Ｔ１に圧縮空気が噴射される。
また，上記ノズル体１００の上記面１０３にはスライドバー１１１が立設されており，更にその上方には上記スライドバー１１１を垂直方向にスライド移動可能に支持するスライドガイド１１２が適宜設けられている。このスライドバー１１１及びスライドガイド１１２（以下，これらを総称してスライド機構１１０という）は，上記ノズル体１００を上記板状部材Ｔの上面Ｔ１に略垂直な方向Ｗ１へ移動自在に支持する手段の一例である。もちろん，上記スライド機構１１０に限らず，例えば，一端が固定されたつるまきバネ等の弾性部材により上記ノズル体１００を上方から吊り下げた状態で支持する機構（図８参照）や，上記ノズル体１００の長手方向の側方から架け渡された板ばね等の弾性部材で上記ノズル体１００を支持する機構等を用いて上記ノズル体１００を上記略垂直方向Ｗ１へ移動自在に弾性支持するものであってもよい。
【００２０】
さらに，上記ノズル体１００の上記対向面１０２であって，上記板状部材Ｔの走行方向Ｗ２上流部には，上記ノズル体１００に隣接して，上記板状体Ｔから遠ざかる方向へ陥没する陥没室２００が形成されている。上記陥没室２００は，この陥没室２００を側断面で示す図７（ｂ）に明らかなように，上記ノズル体１００の板状部材走行方向上流側側面に取り付けられる後壁２００ａと，該後壁２００ａと平行に対向する前壁２００ｂと，左右の側壁２００ｃとによって囲まれた下方に開放された空間によって構成されている。
なお，上記左右の側壁２００ｃは，後記する排気室２０２と陥没室２００とを連通させるために，一部（又は全部）が切除されている。
この陥没室２００は，上記ノズル体１００から噴射された圧縮気体によって上記板状部材表面から吹き上げられた上記圧延油，洗浄油などのミストが流入しうる空間であり，これらの陥没室２００に流入したミストは，上記陥没室２００の壁面に付着することによってその一部が圧縮流体から取り除かれる。
また，残部は，後述のように排気される。
当然ながら，上記陥没室２００の壁部材質は，ノズル体１００と同じものでも良いし，或いは，その内面にテフロン（登録商標）などの剥離材の被覆を施して，ミストによる壁面の汚れを防止する処理をする事が望ましい。
【００２１】
ここで，上述のように構成されたノズル体１００に圧縮空気が供給された場合の上記ノズル体１００の動作について説明する。上記供給口１０４から圧縮空気が供給されると，供給された圧縮空気は上記連通路１０５を通って各噴射口１０１から噴射される（図２（ａ）参照）。上記噴射口１０１から噴射された圧縮空気はその圧縮圧が一気に解き放たれて上記板状部材Ｔの上面Ｔ１に向かって略放射状に吹き付けられる（図２（ｂ）参照）。
また，上記板状部材Ｔに吹き付けられた圧縮空気は，上記板状部材Ｔの上面Ｔ１に吹き付けられた後に，上記ノズル体１００を上記板状部材Ｔから離間させようとする力，即ち，上記ノズル体１００を移動方向Ｗ１の上方へ押し上げようとする押上力となって上記ノズル体１００に作用する。
このように，上記ノズル体１００に上記押上力が作用することにより上記ノズル体１００が上記板状部材Ｔから浮上することになる。上記押上力により上記ノズル体１００が浮上すると，上記ノズル体１００の対向面１０２と上記板状部材Ｔとの間には隙間ｄが生じる。この隙間ｄには上記ノズル体１００から噴射された空気圧による空気圧層が形成され，これにより，上記ノズル体１００が上記板状部材Ｔから距離ｄだけ離間した位置で浮遊する。なお，本実施の形態例では，上記ノズル体１００を上記板状部材Ｔの上面Ｔ１から距離ｄ0だけ浮上させて，その位置で上記ノズル体１００が浮遊するように圧縮空気の圧縮圧が調整されている。
このようして吹き付けられた圧縮空気の噴射圧によって，上記ノズル体１００が浮遊させられると共に，上記板状部材Ｔの上面Ｔ１上に付着した圧延油や洗浄剤等の液体，屑片，汚れ等の付着物が剥離される。また，噴射された圧縮空気は上記溝１０６に沿って上記板状部材Ｔの搬送方向Ｗ２の上流側へ流されるため，剥離され，ミスト化された付着物はこの流れに乗って上記ノズル体１００と上記板状部材Ｔの上面Ｔ１との隙間を通って上記搬送方向Ｗ２の上流側へ吹き飛ばされる。
【００２２】
上記板状部材Ｔの上面Ｔ１との隙間を通って上記搬送方向Ｗ２の上流側へ吹き飛ばされた上記圧延油，洗浄油などのミストは，板状体走行方向上流側に形成された前記陥没室２００に流入する。流入したミストは，上記陥没室２００に，その左右端部に接続された排気室２０２に作用する負圧に基づいて，上記排気室２０２に流入し，排気室２０２に接続された図外の負圧源に吸引されて除去される。上記負圧源に接続された排気室２０２が，本発明における吸気源に接続された排気手段の一例である。
陥没室２００は，この例では噴射口１０１が板状部材Ｔの走行方向上流方向に傾いて形成されているので上記上流側にのみ形成されているが，上記噴射口１０１の傾斜が下流方向であれば，下流側に形成しても良い。また上記噴射口１０１の傾斜角度によっては，上流と下流の両方に設けることも必要である。
このように上記ミストは，ノズル体１００の板状体走行方向上流側に設けられた陥没室２００に吸い込まれて除去されるので，ノズル体１００の板状体走行方向上流部に停滞して，密度を増加させることがなく，従って圧延油などが，板状部材表面に残るという問題が生じない。
上記のように陥没室２００への吸引によって圧延油などのミストが除去されるが，陥没室２００が１列（段）だけであると，上記陥没室２００で除去し切れなかった上記のようなミストの一部は，さらに上流部に流出することになる。
このようなさらに上流部に流れ出たミストを捕捉するために，陥没室２００を図２（ｃ）に示すように，上記板状部材Ｔの走行方向に複数形成し，板状体走行方向下流側の陥没室から更に上流方向へ溢れ出たミストを，更に上流側の陥没室２００で捕捉することが望ましい。このような複数段の陥没室２００によって，陥没室から溢れ出るミストの量が減少し，ミストの捕捉率が向上する。
【００２３】
上記のような陥没室２００の数は，３段或いは４段という具合に多いほうがミストの除去効率という面では有利であるが，ある程度の段数以上になれば効率は一定に収束するので，多ければよいというわけではない。
上記のように陥没室を複数設ける場合，上流側の陥没室２００の板状部材走行方向の下流側の壁部（後壁２００ａ）に，流入したミストを含む空気を板状部材側方に設けた前記排気室の方向へ流す傾斜面２０４ａを図２（ｃ）のように形成することが望ましい。図２（ｃ）に記載した傾斜面２０４ａは陥没室中央部中心として左右に対称に傾斜する形となっている。これは，左右にそれぞれ排気室２０２が設けられているからであって，図６（ｂ）に示すように排気室２０２が陥没室２００の片側にのみ設けられている場合には，上記排気室２０２の設けられている側に向けて後退するように傾斜する傾斜面２０４ｂを設けることが望ましい。
上記のように，陥没室下流側の壁面（前記後壁２００ａ）を，排気室２０２がある側の陥没室端部（側壁２００ｃ）に向けて後退させる，すなわち，陥没室の板状部材走行方向下流側の壁面を，板状部材端部側に向かうにつれて，板状部材走行方向下流側に向けて傾斜して形成することで，陥没室２００にたまったミストを上記傾斜面２０４に沿って流し，排気室２０２に誘導することで，ミストの除去効率が向上することになる。
【００２４】
ここで，上記ノズル体１００に作用する力Ｆ（縦軸，以下，作用力Ｆという）と，上記ノズル体１００及び上記板状部材Ｔの上面Ｔ１間の離間距離ｄ（横軸）との関係について図３及び図５を用いて説明する。ここに，図３は上記作用力Ｆと上記離間距離ｄとの関係を示す図であり，図５は噴射口１０１の近傍の圧力分布を示す図であって，（ａ）は離間距離ｄが距離ｄ0のときの圧力分布，（ｂ）は離間距離ｄが距離ｄ1（＞ｄ0）のときの圧力分布，（ｃ）は離間距離ｄが距離ｄ2（＜ｄ0）のときの圧力分布を示す。なお，ここでは，上記作用力Ｆには，圧縮空気の噴射圧により上記ノズル体１００を移動方向Ｗ１の上方へ押し上げようとする押上力と，後述するように上記ノズル体１００を上記板状部材Ｔへ吸着させようとする吸着力とが含まれるものとし，上記ノズル体１００の重力を無視して説明する。
図３に示すグラフから理解できるように，上記離間距離ｄが上記距離ｄ0のときは，上記作用力Ｆは０となる。このとき，図５（ａ）に示すように，圧縮空気の噴射圧により上記ノズル体１００を押し上げようとする押上圧Ｐ1の積分値（即ち，押上げ力）と，上記ノズル体１００を上記板状部材Ｔへ吸着させようとする吸着圧Ｐ2の積分値（即ち，吸着力）とがバランスよく均衡した関係が維持されることにより，上記距離ｄ0離れた位置で上記ノズル体１００が浮遊している状態にある。なお，上記吸着圧Ｐ2は，上記ノズル体１００と上記板状部材Ｔとの隙間から圧縮空気が流れ出るときに生じる負圧であり，この負圧により上記吸着力が生じる。
【００２５】
ここで，上記板状部材Ｔの圧延時或いは搬送時に発生する振動等により上記板状部材Ｔの上面Ｔ1が下方向へ移動して上記離間距離ｄが距離ｄ0より大きい距離ｄ1（＞ｄ0）となった場合は，上記離間距離ｄの空間内における圧縮空気の流れを妨げようとする抵抗が小さくなり，圧縮空気が逃げ易くなって，流れ出る空気の流速が増加する。そのため，図５（ｂ）に示すように上記吸着圧Ｐ2が大きくなって上記吸着力が上記押上力に勝り，この吸着力によって上記ノズル体１００が下方へ移動し，離間距離ｄが距離ｄ1から距離ｄ0に縮められる。従って，上記板状部材Ｔの上面Ｔ1が下方向へ移動した場合でも，すぐに上記ノズル体１００は上記均衡状態に復元され，上記距離ｄ0離れた位置で浮遊することになる。
一方，上記離間距離ｄが距離ｄ0より小さい距離ｄ2（＜ｄ0）となった場合は，上述とは逆に，上記離間距離ｄの空間内における圧縮空気の流れを妨げようとする抵抗が大きくなり，圧縮空気が逃げ難くなって，流れ出る空気の流速が減少する。そのため，図５（ｃ）に示すように上記吸着圧Ｐ2が小さくなって上記押上力が上記吸着力に勝るため，この押上力によって上記ノズル体１００が上方へ移動し，離間距離ｄが距離ｄ2から距離ｄ0に広げられる。従って，この場合でも，すぐに上記ノズル体１００は上記均衡状態に復元される。
このように，本付着物除去装置Ｘにおいては，上記板状部材Ｔの上面Ｔ１が上下した場合であっても，その上下に追従して上記ノズル体１００が上下移動するため，上記板状部材Ｔの上面Ｔ１から上記ノズル体１００までの離間距離ｄが常に略一定に維持されることになる。すなわち，たとえ上記板状部材Ｔが振動した場合であっても，常に一定の離間距離ｄが維持されるため，上記離間距離ｄを限りなく０に近い距離ｄ0（例えば０．１ｍｍ）に設定したとしても，ノズル体１００が上記板状部材Ｔに接触することはなく，そのため上記板状部材Ｔが損傷することもない。
ここで，上記板状部材Ｔが急激に上下変動した場合は，この上下変動に追従して上記ノズル体１００も急激に上下変動するため，上記ノズル体１００が上下方向へオーバーシュート或いはアンダーシュートを起こすおそれがある。また，このオーバーシュート及びアンダーシュートが周期的に起こり上記ノズル体１００がハンチングするおそれもある。従って，ノズル体１００は，上記オーバーシュートやハンチング等を防止するため，バネ等の弾性部材によって弾性的に支持することが望ましい。具体的には，前記スライドバー１１１につるまきバネを介在させる手法や，オイルダンパー等の緩衝部材で構成されたスライドバー１１１を用いる手法等が考えられる。
【００２６】
ところで，上記ノズル体１００の対向面１０２に形成された上記噴射口１０１の開口面積及び上記対向面１０２の面積は，上記ノズル体１００を浮上させる上で重要な要素となる。その理由を図５を用いて以下に説明する。なお，ここでも便宜上，上記ノズル体１００の重量を無視して説明する。
図５（ｂ）に示すように，離間距離ｄが大きくなると，上述したように，上記離間距離ｄの空間内における圧縮空気の流れを妨げようとする抵抗が小さくなり，外部へ流れ出る圧縮空気の流量が増加する。そのため，上記ノズル体１００の対向面１０２（特に上記噴射口１０１の周辺部分）に対して上記吸着圧Ｐ2（負圧）が発生する。この吸着圧Ｐ2は，上記ノズル体１００を上記板状部材Ｔに吸着させようとする力となって作用する。ここで，圧縮空気の噴射圧により上記ノズル体１００を押し上げようとする押上圧Ｐ1（＞０），上記吸着圧Ｐ2（＜０），すべての噴射口１０１の開口面積の合計値をＳ1，上記ノズル体１００の対向面１０２における上記吸着圧Ｐ2が作用する面積の合計値をＳ2とすると，（Ｐ1×Ｓ1）＋（Ｐ2×Ｓ2）＜０の条件を満たす場合は，ノズル体１００を上方へ押し上げようとする押上力よりも，上記板状部材Ｔに吸着しようとする吸着力が勝るため，上記ノズル体１００は下方へ引き下げられることになる。
従って，離間距離ｄの大きさにかかわらず，距離ｄ0を維持した状態で上記ノズル体１００を浮遊させるには，Ｐ1×Ｓ1＞Ｐ1×Ｓ2の条件を満足すれば足りると考えられる。ここで，噴射圧Ｐ1と平均圧Ｐ2とは相関関係にあるため，上記条件を満足するためには面積Ｓ1及びＳ2を変動値として捉えて上記条件を満たすようにすればよい。
一方，板状部材Ｔの付着物は上記ノズル体１００の対向面１０２を流れる圧縮空気によって除去されるため，上記面積Ｓ2を面積Ｓ1と較べてあまりにも小さくすると付着物が除去されにくくなり除去効果が低下することになる。
【００２７】
そこで，本出願の発明者は，ノズル体１００を上記距離ｄ0を維持した状態で浮遊させる条件と，上記除去効果を高めるための条件との両方を満足する条件として，
Ｓ1＜２Ｓ2…（１）
が最適であるということを実験，研究を繰り返し行うことにより見出している。ここで，上記ノズル体１００の対向面１０２の面積をＳとすると，この面積Ｓは，Ｓ≒Ｓ1＋Ｓ2と近似することができるため，上式（１）は以下のように変形することができる。
３Ｓ1＜２Ｓ…（２）
即ち，上記噴射口１０１それぞれの開口部の面積の合計値が上記対向面１０２の面積の略３分の２未満となるように上記噴射口１０１が形成されていれば，圧縮空気の圧力に影響されずに上記押上力と上記吸着力とのバランスがとり易くなり，上記ノズル体１００を板状部材Ｔの振動等に追従して安定的に浮遊させると共に，充分な除去効果を得ることができる。
【００２８】
ところで，本実施の形態例では上記距離ｄ0が比較的０に近い０．１ｍｍとなるようにノズル体１００に供給される圧縮空気圧が調整されている。このように，離間距離ｄを０に近い値に設定する理由を以下に述べる。
図４に示すように，板状部材Ｔの上面Ｔ１に対して垂直方向に圧縮空気が吹き付けられて，上記圧縮空気が上記板状部材Ｔに衝突する範囲の面積（図４中の破線で囲まれた面積）をＷ，上記板状部材Ｔに圧縮空気が衝突するまでの圧縮空気の流速（離間距離ｄにおける平均流速）をＶとすると，ＷＶ2の値が大きいほど，板状部材Ｔの上面Ｔ１上の付着物を除去する力が大きいと考えられる。ここで，上記ノズル体１００の噴射口１０１から噴射される圧縮空気の流量をＱとすると，Ｑ≒ＷＶと近似することができるため，
ＷＶ2≒ＱＶ…（３）
と表わすことができる。ここで，噴射される流量Ｑが一定の場合は，上式（３）より，流速Ｖが大きいほど付着物を除去する力が大きいということは容易に理解できる。
一般に，ノズル体１００の噴射口１０１から圧縮空気が噴射されると，その圧縮圧が解放されて圧縮空気が放射状に吹き出されるため，流速Ｖは噴射口１０１から離れるに従って低下する。また，上記離間距離ｄの空間に介在する大気も抵抗となって流速Ｖを低下させる要因となる。従って，流量Ｑが一定の場合は，離間距離ｄが小さいほど，上記流速Ｖは大きくなるため，上記付着物を除去する力が大きくなる。このような理由により，本実施の形態例では上記距離ｄ0が比較的０に近い値０．１ｍｍとなるようにノズル体１００に供給される圧縮空気圧を設定している。
【実施例１】
【００２９】
次に，図６を用いて，本発明の第１の実施例に係る付着物除去装置Ｘ１について説明する。
この実施例における付着物除去装置Ｘ１が上記実施の形態における付着物除去装置Ｘと異なるところは，図６に示されるように，前記ノズル体１００に代えて，板状部材Ｔの上面Ｔ１に対向する対向面１０２に溝１０７が設けられたノズル体１００ａを用いる点にある。なお，上述の実施の形態の構成要素と同一の構成要素については上述の実施の形態と同符号を付してその説明を省略する。ここに，図６（ａ）は上記ノズル体１００ａの長手方向（図６の左右方向）の鉛直断面を示す断面模式図であり，（ｂ）は（ａ）の矢印Ｂからみた上記ノズル体１００ａの模式図である。図６中には前記ノズル体１００に形成された溝１０６（図２参照）は図示されていないが，上記ノズル体１００ａは上記溝１０６が形成されたものであってもかまわない。
図６に示すように，上記溝１０７は，上記板状部材Ｔの搬送方向Ｗ２（図６（ｂ）参照）に直交する方向に４つの噴射口１０１それぞれを連通するよう形成されている。これにより，例えば上記噴射口１０１が少数であっても，４つの噴射口１０１から噴射された圧縮空気を上記板状部材Ｔの上面Ｔ１の幅方向全域に均等に噴射させることが可能となる。
【実施例２】
【００３０】
続いて，図７を用いて，本発明の第２の実施例に係る付着物除去装置Ｘ２について説明する。
この実施例では，前記ノズル体１００に代えて図７に示されるノズル体１００ｂが用いられる。上記付着物除去装置Ｘ２が具備するノズル体１００ｂは，その対向面１０２に，板状部材Ｔの搬送方向Ｗ２（図７（ａ）参照）及びノズル体１００ｂの移動方向Ｗ１（図７（ｂ）参照）と略直交する方向Ｗ３に直列に４つの噴射口１０１が配列されており，更に，上記直列に配列された４つの噴射口を１組とする噴射口列１０１ａと略同じ噴射口列１０１ｂが上記方向Ｗ３に並列に所定間隔を隔てて上記方向Ｗ２の下流側に配列されている。このように上記噴射口列１０１ａ，１０１ｂが並列に配列されることにより，上記噴射口列１０１ａでは除去できなかった付着物が上記板状部材Ｔに残存した場合でも，上記板状部材Ｔの搬送方向Ｗ２下流側に配列された上記噴射口列１０１ｂによって付着物の除去処理が行われるため，付着物の除去効果がより一層向上され得る。なお，この実施例では，上記したように２列の噴射口列（１０１ａ，１０１ｂ）が形成されたノズル体１００ｂについて例示したが，特に２列に限定されることはない。
また，上記ノズル体１００ｂには，上記板状部材Ｔの搬送方向Ｗ２及び上記ノズル体１００ｂの移動方向Ｗ１と略直交する方向Ｗ３に長い開口部を有する平面ノズル１０８が形成されている。このような平面ノズル１０８が形成されることにより，圧縮空気を上記板状部材Ｔの上面Ｔ１の幅方向全域に均等に噴射させることが可能となる。
ここで，上述した噴射口１０１はいずれも上記ノズル体１００，１００ａ等をその移動方向Ｗ１に移動させるために上記板状部材Ｔに対して略垂直に圧縮空気を噴射するように形成されている。しかし，上記板状部材Ｔに垂直に噴射された圧縮空気は専ら付着物を剥離するよう作用するが，剥離した付着物を板状部材Ｔの搬送方向Ｗ２上流側へ吹き飛ばす作用は少ない。もちろん，上記付着物除去装置Ｘ２には，上記噴射口１０１から噴射された圧縮空気を上記板状部材Ｔの搬送方向上流側へ導く溝１０６が形成されているが，この溝１０６を流れる空気流は上記噴射口１０１から噴射された圧縮空気の一部を利用したものであるため，剥離した付着物を搬送方向Ｗ２上流側へ吹き飛ばす作用はさほど大きくない。また，噴射した圧縮空気の一部が上記溝１０６を流れるため，付着物を剥離させる力が低減されることにもなる。そのため，この実施例では，図７（ｂ）に示すように，上記板状部材Ｔの搬送方向上流側に圧縮空気を噴射させるべく，上記平面ノズル１０８に傾斜角がつけられている。
【００３１】
また，上記ノズル体１００ｂには，上記噴射口１０１から噴射され，上記対向面１０２と上記板状部材Ｔとの間の空間を流れる空気を滞留させる空気溜まり１０９ａ（気体溜まりの一例に相当）が形成されている。これは，剥離された付着物を効率よく取り除くために，上記対向面１０２側に剥離された付着物を有する空気を溜めるためのものである。また，上記対向面１０２とは逆の面１０３側には上記空気溜まり１０９ａ内の空気を外部に逃がすために，上記空気溜まり１０９ａを外部へ導く空気逃がし孔１０９ｂ（連通孔の一例に相当）が形成されている。
上記空気溜まり１０９ａ及び空気逃がし孔１０９ｂが無ければ，圧縮空気の噴射により剥ぎ取られた付着物が上記対向面１０２に衝突して再付着し，上記噴射口１０１などが付着物で詰まったり，吹き飛ばされた付着物が上記板状部材Ｔに再付着するという問題が生じるおそれがあるが，本実施例では，上記空気溜まり１０９ａ及び空気逃がし孔１０９ｂが設けられているため，剥がされた付着物を含む空気が上記空気溜まり１０９ａに滞留し，その滞留した空気が上記空気逃がし孔１０９ｂを通って外部へ押し出されるようにして排出される。そのため，上記問題が軽減される。
なお，上記空気逃がし孔１０９ｂに配管やフレキシブルホースなどで接続されたブロアファン（吸気手段の一例に相当）を配設してもよい。上記ブロアファンを駆動させて，上記空気逃がし孔１０９ｂから上記空気溜まり１９０ａ内の空気を吸引するようにすれば，付着物を含む空気をより効率よく排出することが可能となる。
【実施例３】
【００３２】
次に，図８のブロック図を用いて，本発明の第３の実施例について説明する。この実施例に係る付着物除去装置Ｘ３は，ノズル体１００ｂ（第２の実施例，図７参照）に設けられた上記空気逃がし孔１０９ｂと，吸気手段の一例であるブロアファン１２１とを接続する管路に，上記空気逃がし孔１９０ｂから排出された空気内に含まれる液状或いは霧状の圧延油（液状付着物の一例）を空気と分離して装置外に設けられたオイルタンク１３０などに回収する油分離機１２０（付着物分離回収手段の一例）と，分離された圧延油をオイルタンク１３０に導くイジェクタ１２２とを備えて構成されている。なお，本付着物除去装置Ｘ３の他の構成要素については上述の第２の実施例に係る付着物除去装置Ｘ２の構成と同様であるため，ここでは他の構成要素の説明を省略する。
【００３３】
上記油分離機１２０としては種々のものが考えられるが，ここでは，空気から圧延油のみを分離するオイルフィルタ１２０ａが内部に配設され，上記オイルフィルタ１２０ａにより分離された圧延油を貯留するドレン孔１２０ｃ付きのドレン層１２０ｂを有する装置を例示する。
上記イジェクタ１２２は，上記ドレン孔１２０ｃに連結されており，外部から供給される圧縮空気を上記イジェクタ１２２で還流させることにより上記イジェクタ１２２内部で生じる負圧を利用して，上記ドレン層１２０ｂから圧延油を吸引してオイルタンク１３０へ導くものである。上記ブロア１２１の運転中は，上記上記油分離機１２０では，ノズル体１００ｂからオイルフィルタ１２０ａを通ってブロア１２１へ抜ける流路に沿って空気が流れるため，その空気流により生じる負圧が原因となって上記ドレン層１２０ｂの圧延油が上記ドレン孔１２０ｃから排出されにくくなるが，本付着物除去装置Ｘ３には上記イジェクタ１２２が設けられているため，上記ブロア１２１の運転中であっても，上記圧延油を強制的に排出させることが可能となる。
【００３４】
このように構成された本付着物除去装置Ｘ３では，上記空気逃がし孔１９０ｂから排出された空気が上記油分離機１２０に送り込まれると，上記オイルフィルタ１２０ａによって圧延油が分離される。そして，圧延油が分離された空気は，上記ブロアファン１２１により上記油分離機１２０から吸い出されて外部に排出される。一方，上記オイルフィルタ１２０ａにより分離された圧延油は，上記ドレン層１２０ｂに貯留される。そして，上記ドレン層１２０ｂに溜まった圧延油は，上記イジェクタ１２２によって上記ドレン孔１２０ｃから吸い出されて，上記オイルタンク１３０へ向けて排出される。
なお，上記イジェクタ１２２へ圧縮空気を常時供給すると，ドレン層１２０ｂの圧延油が全て排出された場合は，上記ドレン孔１２０ｃから空気が排出されてしまい，圧延油の分離効率が低下だけでなく，ブロア１２１が高負荷となるというおそれがある。そのため，間欠的に，即ち，所定時間毎に上記イジェクタ１２２へ圧縮空気を供給することが好ましい。或いは，上記ドレン層１２０ｂにフロースイッチなどを設けておき，所定の圧延油が貯留されたことを示す上記フロースイッチからの出力信号を受けたことを条件に，圧縮空気切換弁などを動作させて所定時間だけ圧縮空気を供給するようにしてもかまわない。
【００３５】
このように，本付着物除去装置Ｘ３では，空気と圧延油とが分離され，圧延油がオイルタンク１３０に回収されるため，圧延油を含む空気が大気中に放出されずに済み，人体或いは環境に与える害を除去することが可能となる。排出された圧延油が回収されるため，圧延油の再利用が可能となりうる。
この実施例では，圧延油を分離して回収する例について述べてきたが，例えば，圧延油以外の液状の付着物を分離回収する場合にも，本実施例に係る付着物除去装置Ｘ３を適用することが可能である。
また，上記オイルフィルタに代えて塵埃などの固形の付着物を排出された空気から分離する図示しないエアフィルタを設ければ，液状付着物に限らず，固形の付着物をも分離回収することが可能となる。
【実施例４】
【００３６】
次に，図９を用いて，本発明の第４の実施例について説明する。この実施例に係る付着物除去装置Ｘ４には，上記板状部材Ｔの上面Ｔ１側だけでなく，下面Ｔ２側にも上述した実施の形態におけるノズル体１００が設けられている。ここで，上記ノズル体１００が上記板状部材Ｔの下面Ｔ２側に設けられた場合は，上記上面Ｔ１側に設けた場合とは逆方向に圧縮空気を噴射させるように上記ノズル体１００を配置しなければならない。そのため，この場合は，図９に示されるように，上記ノズル体１００がその自重により下方に移動することを防止すると共に，上記ノズル体１００を板状部材Ｔの下面Ｔ２に略垂直な方向Ｗ１へ移動自在に支持するため，上記ノズル体１００をつるまきバネ等の弾性部材１１３により弾性的に支持している。このように構成されることにより，上記板状部材Ｔの両面における付着物を除去することが可能となるだけでなく，上記ノズル体１００の上下方向へのオーバーシュートやアンダーシュート，或いはハンチングを防止することが可能となる。
【実施例５】
【００３７】
上述の実施の形態及び各実施例に係る付着物除去装置では，上記板状部材の上方に上記ノズル体１００が配設されている場合は，上記空気圧源５から供給される圧縮空気の圧力が何らかの原因で低下することにより，上記ノズル体１００が落下して上記板状部材Ｔを損傷させるという問題点がある。ここで説明する本発明の第５の実施例に係る付着物除去装置Ｘ５は，上記問題点を解決し得るよう構成されている。
具体的には，図１０のブロック図に示すように，前記した減圧弁３，エアフィルタ４，コントローラ１，及びノズル体１００に加え，予め定められた作動圧力値（規定圧力値）に設定された圧力スイッチ７と，圧縮空気が供給されることにより作動するシリンダ１４０（駆動手段の一例）とを備えて構成されている。また，上述の実施形態及び実施例の構成とはことなり，上記電磁弁２に代えて３方切り換え可能な３方電磁弁２ａが用いられている。
【００３８】
上記シリンダ１４０は，内部にバネなどの弾性部材１４０ａとピストン１４０ｂとを備えた単動式のシリンダであって，所定の圧力（少なくとも上記弾性部材１４０ａによる付勢力以上の力をピストン１４０ｂに作用させ得る空気圧力）以上の圧縮空気が空気供給室１４０ｄに供給されると，上記弾性部材１４０ａの付勢方向とは逆の方向（上記弾性部材１４０ａを圧縮させる方向）へ上記ピストン１４０ｂが作動するものである。このシリンダ１４０は，上記ピストン１４０ｂが鉛直方向へ作動し，かつ，圧縮空気の供給により上記ピストン１４０ｂが上方向へ作動するように支持部材１４１に取り付けられている。
また，上記ピストン１４０ｂの下方に伸びるピストン軸１４０ｃは，前記した弾性部材１１３（図９参照）を介して上記ノズル体１００を支持する支持部材１４２に連結されている。このように連結されることで，上記ピストン１４０ｂが作動すると，上記ノズル体１００が板状部材Ｔの表面に略垂直な方向へ持ち上げられることになる。
【００３９】
上記電磁弁２ａは，１つの入力ポートと２つの出力ポートを有する３方電磁弁であり，入力ポートＰ1は空気圧源５に配管接続されている。一方，２つの出力ポートのうち，消磁されることにより空気圧減５と連通するポートＰ2は上記シリンダ１４０の空気供給室１４０ｄに配管接続されており，励磁されることにより空気圧減５と連通するポートＰ３は上記減圧弁３に配管接続されている。
上記圧力スイッチ７は，上記ノズル体１００に供給される圧縮空気が予め定められた規定圧力未満となった場合に検出信号をコントローラ１に送信する。なお，上記規定圧力は，ノズル体１００を浮上させるのに最低限必要な圧力である。
【００４０】
このように構成された本付着物除去装置Ｘ５では，圧縮空気が供給されることにより上記ノズル体１００が浮遊（浮上）している最中に，上記圧力スイッチ７から上記コントローラ１へ検出信号が出力されると，上記３方電磁弁２ａが上記コントローラ１によって消磁される。これにより，上記３方電磁弁２ａが作動して，出力ポートＰ３が閉じられ，そして，出力ポートＰ2が開けられる。その後，上記出力ポートＰ2を介して圧縮空気が上記空気供給室１４０ｄに供給される。なお，上述の如く上記３方電磁弁２ａを制御する上記コントローラ１が駆動制御手段に相当する。
上記シリンダ１４０では，上記空気供給室１４０ｄに圧縮空気が供給されると，ピストン１４０ｂが上方へ移動し，上記ノズル体１００が上記ピストン１４０ｂの移動に伴って上方へ持ち上げられる。
このように，ノズル体１００へ供給される圧縮空気の圧力が規定圧力未満になった場合は，上記ノズル体１００が上記シリンダ１４０により持ち上げられるため，上記ノズル体１００の落下による上記板状部材Ｔの損傷が防止される。
【００４１】
なお，この第５の実施例では，板状部材Ｔの上面側にノズル体１００が配設された場合について説明したが，もちろん，上述の第４の実施例で説明したように，上記板状部材Ｔの下面側にノズル体１００が配設された場合にも同じように適用することが可能である。なお，この場合は，ピストン１４０ｂが作動することにより上記板状部材Ｔの下面から下方へノズル体１００を引き下げるように上記シリンダ１４０が配設される。
また，この実施例では，駆動手段として単動式のシリンダ１４０を用いた例について示したが，例えば，複動式のシリンダを用いる例であってもかまわない。
【図面の簡単な説明】
【００４２】
【図１】本発明の実施の形態に係る付着物除去装置Ｘの空気制御システムの概略を説明するブロック図。
【図２】付着物除去装置Ｘのノズル体及びを説明する模式図。
【図３】ノズル体１００に作用する力Ｆと，離間距離ｄとの関係を表す図。
【図４】離間距離ｄと付着物除去効果との関係を説明する模式図。
【図５】噴射口１０１の近傍の圧力分布を示す図。
【図６】本発明の第１の実施例に係る付着物除去装置Ｘ１のノズル体１００ａを説明する模式図。
【図７】本発明の第２の実施例に係る付着物除去装置Ｘ２のノズル体１００ｂを説明する模式図。
【図８】本発明の第３の実施例に係る付着物除去装置Ｘ３の概略構成を示すブロック図。
【図９】本発明の第４の実施例に係る付着物除去装置Ｘ４のノズル体１００ｃを説明する模式図。
【図１０】本発明の第５の実施例に係る付着物除去装置Ｘ５の概略構成を示すブロック図。
【符号の説明】
【００４３】
１…コントローラ
２…電磁弁
３…減圧弁
４…エアフィルタ
５…空気圧源
６…管路
７…圧力スイッチ
１００…ノズル体
１０１…噴射口
１０２…対向面
１０４…供給口
１０５…連通路
１０６…溝
１０７…溝
１０８…平板ノズル
１０９ａ…空気溜まり
１０９ｂ…空気逃がし孔
１１０…スライド機構
１１１…スライドバー
１１２…スライドガイド
１１３…弾性部材
１２０…油分離機
１２１…ブロア
１２２…イジェクタ
１３０…オイルタンク
１４０…シリンダ
２００…陥没室
２０２…排気室
【図１】
2008043834.tif 000003
【図２】
2008043834.tif 000004
【図３】
2008043834.tif 000005
【図４】
2008043834.tif 000006
【図５】
2008043834.tif 000007
【図６】
2008043834.tif 000008
【図７】
2008043834.tif 000009
【図８】
2008043834.tif 000010
【図９】
2008043834.tif 000011
【図１０】
2008043834.tif 000012